【手続補正書】
【提出日】平成27年11月17日(2015.11.17)
【手続補正１】
【補正対象書類名】特許請求の範囲
【補正対象項目名】全文
【補正方法】変更
【補正の内容】
【特許請求の範囲】
【請求項１】
黄斑視力を検査するためのコンピュータ実装方法であって、
第１の期間中に、コンピューティングデバイスのディスプレイ上に凝視位置インジケータを表示することであって、前記ディスプレイは、ユーザによるそこへの凝視のために構成されている、ことと、
前記第１の期間の後の第２の期間中に、前記凝視位置インジケータの位置における凝視パターンおよび前記凝視パターンから離間配置された少なくとも２つの中心周囲パターンを前記ディスプレイ上に同時に表示することであって、前記凝視パターンおよび前記少なくとも２つの中心周囲パターンは、類似の線状パターンであり、前記中心周囲パターンのうちの一方は、正しい選択の中心周囲パターンであり、他方の中心周囲パターンは、前記正しい選択の中心周囲パターンと異なる、ことと、
前記中心周囲パターンのうちの１つの選択を示す前記ユーザからの入力を、ユーザ入力デバイスを介して受信することと、
前記ユーザが前記正しい選択の中心周囲パターンを選択したかどうかを判定することと、
前記ユーザがデータストレージ内で前記正しい選択の中心周囲パターンを選択したかどうかを記録することと
を含む、コンピュータ実装方法。
【請求項２】
前記コンピューティングデバイスの画像捕捉デバイスを使用して物体および前記ユーザの画像を捕捉することであって、前記物体は、既知の寸法を有する可視特徴を含むことを特徴とする、ことと、
前記捕捉された画像における前記可視特徴の明確な寸法に基づいて前記コンピューティングデバイスのディスプレイと前記ユーザとの距離を判定することと、
前記判定された距離に基づいて、前記ディスプレイからのユーザの距離を増加させるか、または減少させるかのいずれかを行う命令を前記ユーザに提供することと
をさらに含む、請求項１に記載のコンピュータ実装方法。
【請求項３】
前記コンピューティングデバイスは、タブレットコンピュータを含み、前記ユーザ入力デバイスは、前記タブレットコンピュータのタッチスクリーンを含む、請求項１に記載のコンピュータ実装方法。
【請求項４】
周囲光レベルを測定することと、
前記測定された周囲光レベルに依存して前記ディスプレイの輝度レベルを調節することと
をさらに含む、請求項１に記載のコンピュータ実装方法。
【請求項５】
前記コンピューティングデバイスを使用して周囲光レベルを測定することと、
前記周囲光レベルを調節するように前記ユーザに指示する通知を提供することと
をさらに含む、請求項１に記載のコンピュータ実装方法。
【請求項６】
前記ユーザの視力に関するデータを外部コンピューティングデバイスに送信することをさらに含む、請求項１に記載のコンピュータ実装方法。
【請求項７】
前記外部コンピューティングデバイスに前記データを記憶することと、眼疾患の存在を検出するための方法で用いるために、前記外部コンピューティングデバイス上で前記データを分析することとをさらに含む、請求項６に記載のコンピュータ実装方法。
【請求項８】
ネットワークを介して前記外部コンピューティングデバイスからコンピューティングデバイスへ前記検出された眼疾患を示す通知を送信することをさらに含む、請求項７に記載のコンピュータ実装方法。
【請求項９】
前記凝視パターンおよび前記少なくとも２つの中心周囲パターンは、副尺視標を含む、請求項１に記載のコンピュータ実装方法。
【請求項１０】
前記正しい選択の中心周囲パターンは、前記凝視パターンと同一のパターンを含み、前記他方の中心周囲パターンは、前記正しい選択の中心周囲パターンの歪んだバージョンである歪んだパターンを含む、請求項１に記載のコンピュータ実装方法。
【請求項１１】
黄斑視力を検査するためのシステムであって、
ディスプレイと、
ユーザ入力デバイスと、
前記ディスプレイおよび前記ユーザ入力デバイスに連結されたコンピュータと
を備え、
前記コンピュータは、
第１の期間中に、凝視パターンおよび少なくとも２つの中心周囲パターンを前記ディスプレイ上に同時に表示することであって、前記凝視パターンおよび前記少なくとも２つの中心周囲パターンは、類似の線状パターンであり、前記中心周囲パターンのうちの一方は、正しい選択の中心周囲パターンであり、他方の中心周囲パターンは、前記正しい中心周囲パターンと異なる、ことと、
前記中心周囲パターンのうちの１つの選択を示すユーザからの入力を、前記ユーザ入力デバイスを介して受信することと、
前記ユーザが前記正しい選択の中心周囲パターンを選択したかどうかを判定することと
を行うように構成されていることを特徴とする、システム。
【請求項１２】
前記コンピュータに動作可能に連結されたカメラをさらに備え、前記カメラは、前記システムの環境の周囲光レベルを監視するように構成され、前記コンピュータは、前記監視された周囲光レベルに依存して前記ディスプレイの輝度を調節するように構成されている、請求項１１に記載のシステム。
【請求項１３】
前記コンピュータに動作可能に連結されたカメラをさらに備え、前記カメラは、前記システムの環境の周囲光レベルを監視するように構成され、前記コンピュータは、前記環境の周囲光レベルを調節するように前記ユーザに命令を提供するメッセージを前記ディスプレイ上に表示するように構成されている、請求項１１に記載のシステム。
【請求項１４】
前記コンピュータに動作可能に連結されたカメラをさらに備え、前記カメラは、物体および前記ユーザの画像を捕捉するように構成され、前記物体は、既知の寸法を有する可視特徴を含むことを特徴とし、前記コンピュータは、前記捕捉された画像における前記可視特徴の明確な寸法に基づいて前記ディスプレイと前記ユーザとの距離を判定することと、前記判定された距離に基づいて、前記ディスプレイからのユーザの距離を増加させるか、または減少させるかのいずれかを行う命令を前記ユーザに提供することとを行うように構成されている、請求項１１に記載のシステム。
【請求項１５】
前記凝視パターンおよび前記中心周囲パターンは、副尺視標を含む、請求項１１に記載のシステム。
【請求項１６】
前記正しい選択の中心周囲パターンおよび前記他方の中心周囲パターンのうちの一方は、整列されたパターンであり、前記正しい選択の中心周囲パターンおよび前記他方の中心周囲パターンのうちの他方は、前記整列されたパターンの偏位されたバージョンである偏位されたパターンである、請求項１に記載のコンピュータ実装方法。
【請求項１７】
前記正しい選択の中心周囲パターンおよび前記他方の中心周囲パターンのうちの一方は、整列されたパターンであり、前記正しい選択の中心周囲パターンおよび前記他方の中心周囲パターンのうちの他方は、前記整列されたパターンの偏位されたバージョンである偏位されたパターンである、請求項１１に記載のシステム。
【請求項１８】
前記正しい選択の中心周囲パターンおよび前記他方の中心周囲パターンのうちの一方は、正常なパターンであり、前記正しい選択の中心周囲パターンおよび前記他方の中心周囲パターンのうちの他方は、前記正常なパターンの歪んだバージョンである歪んだパターンである、請求項１に記載のコンピュータ実装方法。
【請求項１９】
前記正しい選択の中心周囲パターンおよび前記他方の中心周囲パターンのうちの一方は、正常なパターンであり、前記正しい選択の中心周囲パターンおよび前記他方の中心周囲パターンのうちの他方は、前記正常なパターンの歪んだバージョンである歪んだパターンである、請求項１１に記載のシステム。
【手続補正２】
【補正対象書類名】明細書
【補正対象項目名】０００７
【補正方法】変更
【補正の内容】
【０００７】
検査は、専門的な監督の有無にかかわらずユーザ（本明細書ではプレーヤまたは被検者とも称される）によって自己管理されるのに適している。結果は、加齢黄斑変性症または他の関連の眼疾患の診断または監視を容易にするため、電気通信手段によって医療専門家に送信（例えば、無線で）され得る。本発明の実施形態は、黄斑視力の視野計測（ＭＡＰ）検査と本明細書では称されることもある。
本願明細書は、例えば、以下の項目も提供する。
（項目１）
黄斑視力を検査するためのコンピュータ実装方法であって、
コンピューティングデバイスのディスプレイ上に第１の組の物体を表示することであって、前記第１の組の物体が、少なくとも３つの物体を含み、前記第１の組の物体における正確に１つの物体が、前記第１の組における前記物体のうちの他のものとは異なり、前記１つの異なる物体と前記物体のうちの他のものとの差の認識が、ユーザの視力を示す、表示することと、
前記第１の組の物体における前記物体のうちの１つの選択を示す前記ユーザからの入力を、前記コンピューティングデバイスのユーザ入力デバイスを介して受信することと、
前記ユーザが前記第１の組の物体から前記１つの異なる物体を正確に選択したかどうかを判定することと、
前記ユーザの前記選択に基づいて前記ユーザの視力を評価することと、を含む、コンピュータ実装方法。
（項目２）
前記コンピューティングデバイスの画像捕捉デバイスを使用して前記ユーザの画像を捕捉することと、
前記捕捉された画像に基づいて前記コンピューティングデバイスの前記ディスプレイと前記ユーザとの距離を判定することと、
前記判定された距離に基づいて、前記ディスプレイからのユーザの距離を増加させる、または減少させるのいずれかを行う命令を前記ユーザに提供することと、をさらに含む、項目１に記載のコンピュータ実装方法。
（項目３）
前記ディスプレイ上に前記第１の組の物体を表示した後、前記コンピューティングデバイスの前記ディスプレイ上に第２の組の物体を表示することであって、前記第２の組の物体が、少なくとも３つの物体を含み、前記第２の組の物体における正確に１つの物体が、前記第２の組における前記物体のうちの他のものとは異なり、前記第２の組における前記１つの異なる物体と前記第２の組における前記物体のうちの他のものとの差の認識が、ユーザの視力を示す、表示することと、
前記第２の組の物体における前記物体のうちの１つの選択を示す前記ユーザからの入力を、前記コンピューティングデバイスの前記ユーザ入力デバイスを介して受信することと、
前記ユーザが前記第２の組の物体から前記１つの異なる物体を正確に選択したかどうかを判定することと、をさらに含む、項目１に記載のコンピュータ実装方法。
（項目４）
前記ディスプレイ上に表示された前記第２の組の物体における前記物体のうちの１つ以上の特性は、前記ユーザが前記第１の組の物体から前記１つの異なる物体を正確に選択したかどうかに依存する、項目３に記載のコンピュータ実装方法。
（項目５）
前記コンピューティングデバイスは、タブレットコンピュータを含み、前記ユーザ入力デバイスは、前記タブレットコンピュータのタッチスクリーンを含む、項目１に記載のコンピュータ実装方法。
（項目６）
周囲光レベルを測定することと、
前記測定された周囲光レベルに依存して前記ディスプレイの輝度レベルを調節することと、をさらに含む、項目１に記載のコンピュータ実装方法。
（項目７）
前記コンピューティングデバイスを使用して周囲光レベルを測定することと、
前記周囲光レベルを調節するように前記ユーザに指示する通知を提供することと、をさらに含む、項目１に記載のコンピュータ実装方法。
（項目８）
前記ユーザの視力に関するデータを外部コンピューティングデバイスに送信することをさらに含む、項目１に記載のコンピュータ実装方法。
（項目９）
前記外部コンピューティングデバイスに前記データを記憶することと、眼疾患の存在を検出するために前記データを分析することとをさらに含む、項目８に記載のコンピュータ実装方法。
（項目１０）
ネットワークを介して前記外部コンピューティングデバイスからコンピューティングデバイスへ前記検出された眼疾患を示す通知を送信することをさらに含む、項目９に記載のコンピュータ実装方法。
（項目１１）
前記第１の組の物体における前記物体は、副尺視標を含む、項目１に記載のコンピュータ実装方法。
（項目１２）
前記第１の組の物体を表示する前に、前記ディスプレイ上に異なる大きさの物体の組を表示することと、前記ユーザ入力インターフェースを介して、前記ユーザによって視認可能である前記異なる大きさの物体の組における最も小さい物体を示す、前記異なる大きさの物体の組における物体の選択を受信することとをさらに含み、前記第１の組の物体における前記物体の前記大きさは、前記異なる大きさの物体の組における前記選択された物体の大きさと一致する、項目１に記載のコンピュータ実装方法。
（項目１３）
前記ユーザによる正確な選択の数に基づいて、前記ディスプレイ上に得点を表示することをさらに含む、項目１に記載のコンピュータ実装方法。
（項目１４）
前記第１の組の物体における前記１つの物体は、前記第１の組における前記物体のうちの他のものとは大きさが異なる、項目１に記載のコンピュータ実装方法。
（項目１５）
黄斑視力を検査するためのコンピュータ実装方法であって、
コンピューティングデバイスのディスプレイ上の凝視位置インジケータであって、ユーザによりそこを凝視するように構成される、凝視位置インジケータを表示することと、
前記凝視位置インジケータの前記位置における凝視パターンおよび前記凝視パターンから離間配置された少なくとも２つの中心周囲パターンを、前記ディスプレイ上に同時かつ一時的に表示することであって、前記中心周囲パターンのうちの１つは、前記中心周囲パターンのうちの他のものとは異なる正しい選択の中心周囲パターンである、表示することと、
前記中心周囲パターンのうちの１つの選択を示す前記ユーザからの入力を、ユーザ入力デバイスを介して受信することと、
前記ユーザが前記正しい選択の中心周囲パターンを選択したかどうかを判定することと、
前記ユーザがデータストレージ内で前記正しい選択の中心周囲パターンを選択したかどうかを記録することと、を含む、コンピュータ実装方法。
（項目１６）
前記凝視パターンは、その周辺近くの前記ディスプレイ上に位置決めされる、項目１５に記載のコンピュータ実装方法。
（項目１７）
前記コンピューティングデバイスの画像捕捉デバイスを使用して前記ユーザの画像を捕捉することと、
前記捕捉された画像に基づいて前記コンピューティングデバイスの前記ディスプレイと前記ユーザとの距離を判定することと、
前記判定された距離に基づいて、前記ディスプレイからのユーザの距離を増加させる、または減少させるのいずれかを行う命令を前記ユーザに提供することと、をさらに含む、項目１５に記載のコンピュータ実装方法。
（項目１８）
前記コンピューティングデバイスは、タブレットコンピュータを含み、前記ユーザ入力デバイスは、前記タブレットコンピュータのタッチスクリーンを含む、項目１５に記載のコンピュータ実装方法。
（項目１９）
周囲光レベルを測定することと、
前記測定された周囲光レベルに依存して前記ディスプレイの輝度レベルを調節することと、をさらに含む、項目１５に記載のコンピュータ実装方法。
（項目２０）
前記コンピューティングデバイスを使用して周囲光レベルを測定することと、
前記周囲光レベルを調節するように前記ユーザに指示する通知を提供することと、をさらに含む、項目１５に記載のコンピュータ実装方法。
（項目２１）
前記ユーザの視力に関するデータを外部コンピューティングデバイスに送信することをさらに含む、項目１５に記載のコンピュータ実装方法。
（項目２２）
前記外部コンピューティングデバイスに前記データを記憶することと、眼疾患の存在を検出するために前記データを分析することとをさらに含む、項目２１に記載のコンピュータ実装方法。
（項目２３）
ネットワークを介して前記外部コンピューティングデバイスからコンピューティングデバイスへ前記検出された眼疾患を示す通知を送信することをさらに含む、項目２２に記載のコンピュータ実装方法。
（項目２４）
前記凝視パターンおよび前記少なくとも２つの中心周囲パターンは、副尺視標を含む、項目１５に記載のコンピュータ実装方法。
（項目２５）
前記正しい選択の中心周囲パターンは、前記凝視パターンと同じパターンを含み、前記中心周囲パターンのうちの他のものは、前記凝視パターンとは異なるパターンを含む、項目１５に記載のコンピュータ実装方法。
（項目２６）
前記正しい選択の中心周囲パターンは、前記凝視パターンとは異なるパターンを含み、前記中心周囲パターンのうちの他のものは、前記凝視パターンと同じパターンを含む、項目１５に記載のコンピュータ実装方法。
（項目２７）
黄斑視力を検査するためのシステムであって、
ディスプレイと、
ユーザ入力デバイスと、
前記ディスプレイおよび前記ユーザ入力デバイスに連結され、凝視パターンおよび少なくとも２つの中心周囲パターンを、前記ディスプレイ上に同時かつ一時的に表示し、前記中心周囲パターンのうちの１つは、前記中心周囲パターンのうちの他のものとは異なる正しい選択の中心周囲パターンであり、前記中心周囲パターンのうちの１つの選択を示す前記ユーザからの入力を、前記ユーザ入力デバイスを介して受信し、かつ前記ユーザが前記正しい選択の中心周囲パターンを選択したかどうかを判定するように構成される、コンピュータと、を備える、システム。
（項目２８）
前記正しい選択の中心周囲パターンは、前記凝視パターンと同じパターンを含み、前記中心周囲パターンのうちの他のものは、前記凝視パターンとは異なるパターンを含む、項目２７に記載のシステム。
（項目２９）
前記正しい選択の中心周囲パターンは、前記凝視パターンとは異なるパターンを含み、前記中心周囲パターンのうちの他のものは、前記凝視パターンと同じパターンを含む、項目２７に記載のシステム。
（項目３０）
前記システムの前記環境の前記周囲光レベルを監視するように構成されたコンピュータに動作可能に連結されるカメラであって、前記コンピュータは、前記監視された周囲光レベルに依存して前記ディスプレイの前記輝度を調節するように構成される、カメラをさらに備える、項目２７に記載のシステム。
（項目３１）
前記システムの前記環境の前記周囲光レベルを監視するように構成されたコンピュータに動作可能に連結されるカメラであって、前記コンピュータは、前記環境の前記周囲光レベルを調節するように前記ユーザに命令を提供する前記ディスプレイ上にメッセージを表示するように構成される、カメラをさらに備える、項目２７に記載のシステム。
（項目３２）
前記コンピュータに連結され、有線または無線通信を使用して外部コンピュータシステムと通信するように構成される、通信インターフェースをさらに備える、項目２７に記載のシステム。
（項目３３）
前記ユーザの画像を捕捉するように構成された前記コンピュータに動作可能に連結されるカメラであって、前記コンピュータは、前記捕捉された画像に基づいて前記ディスプレイと前記ユーザとの距離を判定し、かつ前記判定された距離に基づいて、前記ディスプレイからのユーザの距離を増加させる、または減少させるのいずれかを行う命令を前記ユーザに提供するように構成される、カメラをさらに備える、項目２７に記載のシステム。
（項目３４）
前記システムは、タブレットコンピュータを含み、前記ユーザ入力デバイスは、前記タブレットコンピュータのタッチスクリーンを含む、項目２７に記載のシステム。
（項目３５）
前記凝視パターンおよび前記中心周囲パターンは、副尺視標を含む、項目２７に記載のシステム。
（項目３６）
前記コンピュータは、前記凝視パターンおよび前記中心周囲パターンを表示する前に、前記ディスプレイ上に異なる大きさのパターンの組を表示し、前記ユーザ入力インターフェースを介して、前記ユーザによって視認可能である前記異なる大きさのパターンの組における最小パターンを示す、前記異なる大きさのパターンのうちの１つの選択を受信するようにさらに構成され、前記凝視パターンおよび前記中心周囲パターンの大きさは、前記異なる大きさのパターンの組における前記選択されたパターンの大きさと一致する、項目２７に記載のシステム。
（項目３７）
前記凝視パターンは、その周辺近くの前記ディスプレイ上に位置決めされる、項目２７に記載のシステム。
（項目３８）
実行されるとき、
コンピューティングデバイスのディスプレイ上に第１の組の物体を表示することであって、前記第１の組の物体が、少なくとも３つの物体を含み、前記第１の組の物体における正確に１つの物体が、前記第１の組における前記物体のうちの他のものとは異なり、前記１つの異なる物体と前記物体のうちの他のものとの差の認識が、ユーザの視力を示す、表示することと、
前記第１の組の物体における前記物体のうちの１つの選択を示す前記ユーザからの入力を、前記コンピューティングデバイスのユーザ入力デバイスを介して受信することと、
前記ユーザが前記第１の組の物体から前記１つの異なる物体を正確に選択したかどうかを判定することと、
前記ユーザの前記選択に基づいて前記ユーザの視力を評価することと、を含む、方法を行うコンピュータ実行可能な命令で符号化される、非一時的コンピュータ可読媒体。
（項目３９）
前記方法は、
前記コンピューティングデバイスの画像捕捉デバイスを使用して前記ユーザの画像を捕捉することと、
前記捕捉された画像に基づいて前記コンピューティングデバイスの前記ディスプレイと前記ユーザとの距離を判定することと、
前記判定された距離に基づいて、前記ディスプレイからのユーザの距離を増加させる、または減少させるのいずれかを行う命令を前記ユーザに提供することと、をさらに含む、項目３８に記載の非一時的コンピュータ可読媒体。
（項目４０）
前記方法は、前記ディスプレイ上に前記第１の組の物体を表示した後、前記コンピューティングデバイスの前記ディスプレイ上に第２の組の物体を表示することであって、前記第２の組の物体が、少なくとも３つの物体を含み、前記第２の組の物体における正確に１つの物体が、前記第２の組における前記物体のうちの他のものとは異なり、前記第２の組における前記１つの異なる物体と前記第２の組における前記物体のうちの他のものとの差の認識が、ユーザの視力を示す、表示することと、
前記第２の組の物体における前記物体のうちの１つの選択を示す前記ユーザからの入力を、前記コンピューティングデバイスの前記ユーザ入力デバイスを介して受信することと、
前記ユーザが前記第２の組の物体から前記１つの異なる物体を正確に選択したかどうかを判定することと、をさらに含む、項目３８に記載の非一時的コンピュータ可読媒体。
（項目４１）
表示された前記第２の組の物体における前記物体のうちの１つ以上の特性は、前記ユーザが前記第１の組の物体から前記１つの異なる物体を正確に選択したかどうかに依存する、項目４０に記載の非一時的コンピュータ可読媒体。
（項目４２）
前記コンピューティングデバイスは、タブレットコンピュータを含み、前記ユーザ入力デバイスは、前記タブレットコンピュータのタッチスクリーンを含む、項目３８に記載の非一時的コンピュータ可読媒体。
（項目４３）
前記方法は、
周囲光レベルを測定することと、
前記測定された周囲光レベルに依存して前記ディスプレイの輝度レベルを調節することと、をさらに含む、項目３８に記載の非一時的コンピュータ可読媒体。
（項目４４）
前記方法は、
前記コンピューティングデバイスを使用して周囲光レベルを測定することと、
前記周囲光レベルを調節するように前記ユーザに指示する通知を提供することと、をさらに含む、項目３８に記載の非一時的コンピュータ可読媒体。
（項目４５）
前記方法は、
前記ユーザの視力に関するデータを外部コンピューティングデバイスに送信することをさらに含む、項目３８に記載の非一時的コンピュータ可読媒体。
（項目４６）
前記方法は、前記外部コンピューティングデバイスに前記データを記憶することと、眼疾患の存在を検出するために前記データを分析することとをさらに含む、項目４５に記載の非一時的コンピュータ可読媒体。
（項目４７）
前記方法は、ネットワークを介して前記外部コンピューティングデバイスからコンピューティングデバイスへ前記検出された眼疾患を示す通知を送信することをさらに含む、項目４６に記載の非一時的コンピュータ可読媒体。
（項目４８）
前記第１の組の物体における前記物体は、副尺視標を含む、項目３８に記載の非一時的コンピュータ可読媒体。
（項目４９）
前記方法は、前記第１の組の物体を表示する前に、前記ディスプレイ上に異なる大きさの物体の組を表示することと、前記ユーザ入力インターフェースを介して、前記ユーザによって視認可能である前記異なる大きさの物体の組における最も小さい物体を示す、物体の選択を受信することとをさらに含み、前記第１の組の物体における前記物体の前記大きさは、前記異なる大きさの物体の組における前記選択された物体の大きさと一致する、項目３８に記載の非一時的コンピュータ可読媒体。
（項目５０）
前記方法は、前記ユーザによる正確な選択の数に基づいて、前記ディスプレイ上に得点を表示することをさらに含む、項目３８に記載の非一時的コンピュータ可読媒体。
（項目５１）
前記第１の組の物体における前記１つの異なる物体は、色および階調のうちの１つにおける前記第１の組の物体における前記物体のうちの他のものとは異なる、項目３８に記載の非一時的コンピュータ可読媒体。
（項目５２）
黄斑視力を検査するためのビデオゲームを提供するためのコンピュータ実装方法であって、
前記ビデオゲームの複数の中心視力ラウンドを実行することによって中心視力を検査することであって、各中心視力ラウンドが、
コンピューティングデバイスのディスプレイ上に少なくとも３つの中心視標を表示することであって、前記少なくとも３つの中心視標のうちの１つが、前記中心視標のうちの他のものとは異なり、前記１つの異なる中心視標と前記他の中心視標との差の認識が、ユーザの中心視力を示す、表示することと、
前記コンピューティングデバイスのユーザ入力デバイスを介して前記ユーザから前記中心視標のうちの１つの選択を受信することと、
前記ユーザが前記中心視標から前記１つの異なる中心視標を正確に選択したかどうかを判定することと、
前記ユーザの前記選択に基づいて前記ユーザの中心視力を評価することと、を含む、中心視力ラウンドを検査することと、
前記ビデオゲームの複数の中心周囲視力ラウンドを実行することによって中心周囲視力を検査することであって、各中心周囲視力ラウンドが、
前記コンピューティングデバイスの前記ディスプレイ上の凝視位置インジケータであって、ユーザによりそこを凝視するように構成される、凝視位置インジケータを表示することと、
前記凝視位置インジケータの前記位置における凝視視標と、前記凝視視標から離間配置された少なくとも２つの中心周囲視標とを前記ディスプレイ上に同時かつ一時的に表示することであって、前記中心周囲視標のうちの１つは、前記中心周囲視標のうちの他のものとは異なる正しい選択の中心周囲視標であり、前記正しい選択の中心周囲視標は、前記正しい選択の中心周囲視標の視認が視力マップ上のある位置で前記ユーザの視力を示すように前記凝視視標に対して位置決めされる、表示することと、
前記ユーザ入力デバイスを介して前記ユーザから前記中心周囲視標のうちの１つの選択を受信することと、
前記ユーザが前記正しい選択の中心周囲視標を選択したかどうかを判定することと、
前記ユーザがデータストレージ内の前記正しい選択の中心周囲視標を選択したかどうかを記録することと、を含む、中心周囲視力ラウンドを検査することと、
前記複数の中心視力および中心周囲視力ラウンドの間、前記ユーザの選択に基づいて視力マップを生成することであって、前記視力マップでは、複数の位置に分割され、前記複数の位置の各々が、前記ビデオゲームの前記中心視力ラウンドまたは中心周囲視力ラウンドのうちの少なくとも１つによって検査される、視力マップを生成することと、を含む、コンピュータ実装方法。
（項目５３）
前記中心視力ラウンドの各々の間、前記ディスプレイ上に表示された前記中心視標の特性は、以前の中心視力ラウンドにおける中心視標の前記ユーザの選択に依存する、項目５２に記載のコンピュータ実装方法。
（項目５４）
前記中心周囲視力ラウンドの各々の間、前記ディスプレイ上に表示された前記凝視視標および前記中心周囲視標の特性は、以前の中心周囲視力ラウンドにおける中心周囲視標の前記ユーザの選択に依存する、項目５２に記載のコンピュータ実装方法。
（項目５５）
前記中心視標および前記中心周囲視標の特性は、前記ユーザの以前の視力検査結果に基づいて最初に選択される、項目５２に記載のコンピュータ実装方法。
（項目５６）
前記中心視標および前記中心周囲視標の特性は、正規母集団の視力情報に基づいて最初に選択される、項目５２に記載のコンピュータ実装方法。
（項目５７）
前記コンピューティングデバイスの画像捕捉デバイスを使用して前記ユーザの画像を捕捉することと、
前記捕捉された画像に基づいて前記コンピューティングデバイスの前記ディスプレイと前記ユーザとの距離を判定することと、
前記判定された距離に基づいて、前記ディスプレイからのユーザの距離を増加させる、または減少させるのいずれかを行う命令を前記ユーザに提供することと、をさらに含む、項目５２に記載のコンピュータ実装方法。
（項目５８）
前記コンピューティングデバイスは、タブレットコンピュータを含み、前記ユーザ入力デバイスは、前記タブレットコンピュータのタッチスクリーンを含む、項目５２に記載のコンピュータ実装方法。
（項目５９）
前記中心視標および前記中心周囲視標は、副尺視標を含む、項目５２に記載のコンピュータ実装方法。